(57)【要約】      （修正有）【課題】従来の負圧型の予作動式スプリンクラ消火設備は、二次側配管内が負圧状態になっていることから配管内を流れる消火用水の流量が過流量となり、ウォーターハンマが発生してスプリンクラ消火設備の配管が破損する虞がある。二次側配管内の負圧に起因する過流量を防止し、過流量によるウォーターハンマの発生とこれによる設備の破損とを防止するスプリンクラ消火設備を得る。【解決手段】二次側配管１２と排水配管１６との間に平常時は閉弁している開閉弁３６を介在させ、この開閉弁３６を放水開始後に二次側配管１２が充水されるまでの所定時間だけ開弁させ、流入する外気で二次側配管１２内を大気圧にして過流量を防止するとともに、二次側配管１２内に圧送される消火用水によって配管内の空気が開閉弁３６を通じて排気されるようにし、二次側配管１２が充水される時間を短縮した。【選択図】図１
2013022103.tif 000002
【特許請求の範囲】
【請求項１】
予作動弁と、該予作動弁の二次側に設けられ、スプリンクラヘッドが接続され、平常時は充水されない二次側配管と、前記二次側配管に接続されて平常時は前記二次側配管内を負圧にする真空ポンプと、を備える予作動式のスプリンクラ消火設備において、；
前記二次側配管の末端部と該末端部の二次側に設けられる排水配管との間に、平常時は閉弁し、放水開始後に前記二次側配管が充水されるまでの所定時間だけ開弁する開閉弁を備えることを特徴とするスプリンクラ消火設備。
【請求項２】
予作動弁と、該予作動弁の二次側に設けられ、スプリンクラヘッドが接続され、平常時は充水されない二次側配管と、前記二次側配管に接続されて平常時は前記二次側配管内を負圧にする真空ポンプと、を備える予作動式のスプリンクラ消火設備の制御方法において、；
前記二次側配管と排水配管との間に常閉の開閉弁を介在させ、
放水開始後に前記二次側配管が充水されるまでの所定時間だけ、前記開閉弁を開弁することを特徴とするスプリンクラ消火設備の制御方法。
【発明の詳細な説明】
【技術分野】
【０００１】
本発明は、スプリンクラ消火設備に関し、特に、予作動弁の二次側の配管を負圧状態にした予作動式のスプリンクラ消火設備に関するものである。
【背景技術】
【０００２】
従来より、スプリンクラヘッドが接続された二次側配管内を圧縮気体で充填し、その二次側配管の基端側に予作動弁を設けた、加圧型予作動式スプリンクラ消火設備がある。この設備は、スプリンクラヘッドと同じ防護区画に設置された火災感知器が動作すると、予作動弁が開放し、二次側配管に充水するように構成されている。
【０００３】
このような予作動式のスプリンクラ消火設備では、火災感知器とスプリンクラヘッドの両方が動作したときに消火用水が放水されるので水損を生じにくいが、竣工時等で通水試験を行った後に二次側配管を排水しても、スプリンクラヘッドが接続される立ち下がり管部分に水が残る場合があり、スプリンクラヘッドが破損した場合に漏水を起こすことがある。
【０００４】
そこで、二次側配管に真空ポンプを接続し、配管内を負圧にした予作動式スプリンクラ消火設備が提案されている（例えば特許文献１参照）。この負圧型予作動式スプリンクラ消火設備では、二次側配管内は圧縮気体の代わりに負圧空気となるので、前述のような漏水が起こりにくい。
【先行技術文献】
【特許文献】
【０００５】
【特許文献１】実公平６−２６２９２号公報
【発明の概要】
【発明が解決しようとする課題】
【０００６】
しかしながら、従来の負圧型の予作動式スプリンクラ消火設備は、設備が破損する虞がある。すなわち、火災感知器が動作して予作動弁が開放するとき、二次側配管内が負圧状態になっていることから、配管内を流れる水の流量が規定放水量を超えた過流量となり、ウォーターハンマが発生してスプリンクラ消火設備の配管が破損する虞がある。  本発明は上述のような課題を解決するためになされたものであり、配管内を流れる水の流量が過流量となることを防止し、過流量に起因するウォーターハンマによる設備の破損を防止するスプリンクラ消火設備を得ることを目的とする。
【課題を解決するための手段】
【０００７】
本発明に係るスプリンクラ消火設備は、予作動弁と、該予作動弁の二次側に設けられ、スプリンクラヘッドが接続され、平常時は充水されない二次側配管と、前記二次側配管に接続されて平常時は前記二次側配管内を負圧にする真空ポンプと、を備える予作動式のスプリンクラ消火設備において、前記二次側配管の末端部と該末端部の二次側に設けられる排水配管との間に、平常時は閉弁し、放水開始後に前記二次側配管が充水されるまでの所定時間だけ開弁する開閉弁を備えることを特徴とする。
また、本発明に係るスプリンクラ消火設備の制御方法は、予作動弁と、該予作動弁の二次側に設けられ、スプリンクラヘッドが接続され、平常時は充水されない二次側配管と、前記二次側配管に接続されて平常時は前記二次側配管内を負圧にする真空ポンプと、を備える予作動式のスプリンクラ消火設備の制御方法において、前記二次側配管と排水配管との間に常閉の開閉弁を介在させ、放水開始後に前記二次側配管が充水されるまでの所定時間だけ、前記開閉弁を開弁することを特徴とする。
【発明の効果】
【０００８】
本発明に係るスプリンクラ消火設備は、請求項１に記載の構成、または、請求項２に記載の制御方法によれば、送水開始時に二次側配管内を常圧にして、二次側配管内の負圧に起因する消火用水の過流量を防止するので、過流量に起因するウォーターハンマとこれによる設備の破損を防止することができる。
【図面の簡単な説明】
【０００９】
【図１】実施の形態に係るスプリンクラ消火設備の構成図である。
【発明を実施するための形態】
【００１０】
図１に基づいて、本発明の実施の形態に係るスプリンクラ消火設備について説明する。
【００１１】
まず、スプリンクラ消火設備の構成について説明する。
【００１２】
本実施の形態のスプリンクラ消火設備は、スプリンクラヘッド２、予作動弁２２、一次側配管１１、二次側配管１２、真空配管１４、真空ポンプ２４、流水遮断弁３１、ヘッド作動検出装置４６、真空スイッチ４１および５３、及び、加圧送水装置２１等から構成されている。
防護区画１には、複数のスプリンクラヘッド２が設けられている。また、防護区画１には、防護区画１内で発生した火災を感知する火災感知器３が設けられている。この火災感知器３は火災受信機４と電気的に接続されており、火災感知器３の火災発報を受信した火災受信機４は、火災信号を消火システム制御盤５へ送出する。また、消火システム制御盤５は、中継器５１を介して、予作動弁２２を駆動する電動のパイロット弁である遠隔起動弁２２ｂおよび予作動弁２２の開放による消火用水の通水を検知する流水検知手段としての流水信号スイッチ２２ａ、開放弁４７、真空スイッチ４１、ヘッド作動検出装置４６、および、後述する開閉弁３６と電気的に接続されており、さらに消火ポンプ制御盤６は加圧送水装置２１と電気的に接続されている。消火システム制御盤５は、所定の圧力で作動する真空スイッチ４１、または、単位時間当たりの圧力上昇が所定の値を超えるときに作動するヘッド作動検出装置４６のいずれかが作動することによって、スプリンクラヘッド２が作動したかどうかを判断する。
【００１３】
複数のスプリンクラヘッド２は各々立ち下がり配管１３に接続されている。また、立ち下がり配管１３のそれぞれは、二次側配管１２に接続されている。この二次側配管１２の基端部は、平常時は閉止しており火災時に電気的に開放される予作動弁２２の一方の端部に接続されている。予作動弁２２の他方の端部は、一次側配管１１の一方の端部に接続されている。また、一次側配管１１の他方の端部（基端側）は、加圧送水装置２１の吐出口に接続されている。
【００１４】
一方、二次側配管１２の末端部は、末端試験弁２５の一方の端部に接続されている。末端試験弁２５の他方の端部には、排水配管１６が接続されている。スプリンクラ消火設備の水漏れ試験等によって二次側配管１２に充填された水は、末端試験弁２５及び予作動弁２２に備えた図示しない排水弁を開くことにより、外部に排出される。通常の監視状態においては、末端試験弁２５は閉じられた状態となっている。
【００１５】
また、二次側配管１２には、真空配管１４の一方の端部が接続されている。真空配管１４の他方の端部には、真空ポンプ２４が接続されている。
【００１６】
この真空配管１４には、二次側配管１２との接続部側から真空ポンプ２４側に向けて、二次側の圧力上昇で閉止する流水遮断弁３１、真空スイッチ４１、圧力上昇が所定の値以上で作動するヘッド作動検出装置４６及びオリフィス４２が順に設けられている。なお、スプリンクラヘッド破損時に立ち下がり配管１３内の残っている水が漏れ出ぬように、二次側配管１２内を強力に吸引するように負圧としたり、竣工時、通水試験後、等に、負圧とする時間を短縮したりするときに開放する開放弁４７が、オリフィス４２と並列に接続される。また、オリフィス４２と真空ポンプ２４との間の真空配管１４には、真空スイッチ５３が接続されており、真空配管１４の内圧を所定の値以下とするように真空ポンプ制御盤５２を介して、真空ポンプ２４を制御している。
【００１７】
さらに、二次側配管１２の末端部には開閉弁３６の一次側が接続され、開閉弁３６の二次側には排水配管１６が接続されている。
【００１８】
なお、開閉弁３６を設ける代わりに、末端試験弁２５を開閉弁としても良い。
＜スプリンクラ消火設備の動作＞
本実施の形態に係るスプリンクラ消火設備は、平常時の監視状態においては、二次側配管１２は充水せず、真空ポンプ２４を起動させて二次側配管１２内及び真空配管１４内が大気圧より低い負圧となっている、真空式の予作動式スプリンクラ消火設備である。
【００１９】
以下、このスプリンクラ消火設備の動作について説明する。まず、スプリンクラヘッド２の作動を検出する動作について説明する。続いて、スプリンクラ消火設備の消火動作について説明する。
（スプリンクラヘッド作動検出動作）
スプリンクラヘッド２の作動を検出する動作について説明する。
【００２０】
上述のように、通常の監視状態において、二次側配管１２内及び真空配管１４内は負圧となっている。これら二次側配管１２内及び真空配管１４内は、立ち下がり配管１３とスプリンクラヘッド２との接続部等から徐々に空気が流入し、負圧である管内圧力が上がってくる（大気圧に近づいてくる）。負圧である二次側配管１２内及び真空配管１４内の圧力が所定の圧力以上となったことを真空スイッチ５３で検出した場合、真空ポンプ制御盤５２が真空ポンプ２４を作動させて、二次側配管１２内及び真空配管１４内の負圧を一定以下の圧力に保っている。なお、負圧である二次側配管１２内の圧力が上昇する場合には、スプリンクラヘッド２の作動によるものと、配管からの空気流入による場合とがある。ここでは、配管からの空気流入による圧力上昇を真空スイッチ５３で検出し、スプリンクラヘッド２の作動による圧力上昇をヘッド作動検出装置４６または真空スイッチ４１で検出している。
【００２１】
防護区画１で火災が発生し、スプリンクラヘッド２が作動すると（スプリンクラヘッド２の放水口が開放されると）、スプリンクラヘッド２の放水口から二次側配管１２内及び真空配管１４内に防護区画１の空気が流入する。これにより、負圧である二次側配管１２内及び真空配管１４内の圧力が上昇する。
【００２２】
そこで、本実施の形態では、負圧である二次側配管１２内及び真空配管１４内の圧力を真空スイッチ４１および真空スイッチ５３で検出し、ヘッド作動検出装置４６が所定時間当たりの圧力変化量に基づいてスプリンクラヘッド２の作動を検出している。より具体的には、平常状態において配管の接続部等から空気が流入する場合には、負圧である二次側配管１２内及び真空配管１４内の圧力上昇速度は小さい。つまり、平常状態における圧力の所定時間当たりの変化量は小さい。一方、スプリンクラヘッド２作動時においては、負圧である二次側配管１２内及び真空配管１４内の圧力上昇速度は、通常の監視状態の場合よりも大きくなる。つまり、スプリンクラヘッド２作動時における所定時間当たりの圧力変化量は、平常状態の場合よりも大きくなる。ヘッド作動検出装置４６は所定時間当たりの圧力変化量のこの違いによって、スプリンクラヘッド２の作動を検出している。換言すると、ヘッド作動検出装置４６は所定時間当たりの圧力変化量の絶対値が所定の閾値よりも大きくなったときに、消火システム制御盤５はスプリンクラヘッド２が作動したと判断している。
【００２３】
ここで、スプリンクラヘッド２の作動検出を所定時間当たりの圧力変化量に基づいてヘッド作動検出装置４６で行う理由について説明する。
【００２４】
従来のスプリンクラ消火設備は、負圧である二次側配管１２内及び真空配管１４内の圧力がある閾値よりも大きくなったとき（ある閾値よりも大気圧に近い値となったとき）、スプリンクラヘッド２が作動したと判断していた。本実施の形態においても、真空スイッチ４１が所定の閾値以上の圧力となるときにもスプリンクラヘッド２が作動したと判断するようにもしている。しかしながら、二次側配管１２内及び真空配管１４内の体積と比較してスプリンクラヘッド２の放水口は小さく、また二次側配管１２内の圧力と防護区画１の圧力差が小さいため、スプリンクラヘッド２から二次側配管１２に流入する空気量が少ないので、負圧である二次側配管１２内及び真空配管１４内の圧力上昇には時間がかかってしまう。このため、スプリンクラヘッド２作動時に例えば真空ポンプ２４を起動したばかりで、負圧である二次側配管１２内及び真空配管１４内の圧力が低く、現在の圧力とある閾値との圧力差が大きい場合、閾値まで圧力が上昇するのには時間がかかり、真空スイッチ４１によるスプリンクラヘッド２の作動検出が遅くなってしまう。
【００２５】
一方、本実施の形態では、ヘッド作動検出装置４６が、負圧である二次側配管１２内及び真空配管１４内の圧力の所定時間当たりの変化量の絶対値が所定の閾値よりも大きくなったときにも、スプリンクラヘッド２が作動したと判断している。このため、スプリンクラヘッド２作動時における二次側配管１２内及び真空配管１４内の圧力にかかわらず、早期にスプリンクラヘッド２の作動を検出することができる。なお、本実施の形態では、真空ポンプ２４の作動中にスプリンクラヘッド２が作動したとき、二次側配管１２の圧力が変化しなくなり、ヘッド作動検出装置４６が作動しなくなることを防ぐため、ヘッド作動検出装置４６と真空ポンプ２４の間の真空配管１４にオリフィス４２を設けている。
（消火動作）
続いて、スプリンクラ消火設備の消火動作について説明する。
【００２６】
平常状態においては、一次側配管１１の予作動弁２２まで水が充填され、二次側配管１２内及び真空配管１４内に水が充填されていない状態となっている。
【００２７】
防護区画１で火災が発生すると、火災を感知した火災感知器３は火災受信機４へ火災信号を送出し、この火災信号を受信した火災受信機４は消火システム制御盤５に火災信号を発信する。また、その後スプリンクラヘッド２が作動し、負圧である二次側配管１２の圧力が上昇すると、消火システム制御盤５は中継器５１を介して、真空スイッチ４１の作動、または、ヘッド作動検出装置４６の所定時間当たりの圧力変化量に基づき、スプリンクラヘッド２の作動を検出する。火災信号とスプリンクラヘッド２の作動の両方を検知した場合、消火システム制御盤５は、遠隔起動弁２２ｂを開放することによって予作動弁２２を開放し、二次側配管１２に水を供給する（充填する）。このとき、予作動弁２２の開放に伴って一次側配管１１の圧力が低下し、これを検出した消火ポンプ制御盤６によって加圧送水装置２１が始動される。なお、予作動弁２２が開放されると、予作動弁２２に設けられた流水信号用スイッチ２２ａは、中継器５１を介して消火システム制御盤５に流水信号を発信する。
【００２８】
消火システム制御盤５は、遠隔起動弁２２ｂを開放するとき、または、流水信号用スイッチ２２ａからの流水信号を受信したとき、開閉弁３６を開放する。このとき、開閉弁３６には消火用水が未だ達していないので、開放された開閉弁３６を介して、排水配管１６から負圧である二次側配管１２へ外気が流入し、二次側配管１２内の圧力は大気圧に近づいてゆく。
【００２９】
したがって、開弁した予作動弁２２から内部の圧力が大気圧に近づいた二次側配管１２へ向かって圧送される消火用水は、二次側配管１２が負圧であることに起因する過流量とはならないので、この過流量に起因するウォーターハンマを防止することができる。
【００３０】
さらに、二次側配管１２内を圧送される消火用水は、開弁している開閉弁３６を介して、二次側配管１２内に流入した空気を排水配管１６へと押し出しながら進行する。したがって、二次側配管１２内に流入した外気に流れを妨げられることなく、消火用水は二次側配管１２内を進むので、二次側配管１２を充水する時間が遅れることも防止する。
【００３１】
そして、二次側配管１２が消火用水で充水され、その末端部にある開閉弁３６へ到達するタイミングで、開閉弁３６を閉止するように制御する。例えば放水開始時に計時を開始して前記タイミングでタイムアップし、信号を送出するタイマを消火システム制御盤５が備え、消火システム制御盤５は前記タイマに基いて、中継器５１を介して開閉弁３６の開放時間を制御する。スプリンクラ消火設備は火災時に初期消火を有効に行えるように、所定時間内に所定放水圧で放水することが法令・規格等で要求されるものであり、二次側配管を充水する消火用水の送水圧力および流量は、前記要求を満足するように設計されるものである。したがって、開閉弁３６を閉止するタイミングは、前記所定時間（例えば６０秒以内）を超えないよう、また、二次側配管１２が充水されるとき以後となるように、前記タイマの設定時間を配管容積等に応じて適宜設定する。
二次側配管１２をその末端に位置する開閉弁３６まで充水した消火用水は、開閉弁３６が閉止すると二次側配管１２内部の圧力を上昇させ、立ち下がり配管１３を介して作動したスプリンクラヘッド２から防護区画１に規定放水圧力で放水し、防護区画１で発生した火災を消火する。
【００３２】
以上の説明のように、放水を開始するときに開弁させる開閉弁３６を介して二次側配管１２内に外気を流入させ、二次側配管１２内の圧力を真空ポンプ２４による負圧から大気圧に近づけるので、二次側配管１２内を進む消火用水は、二次側配管１２内が負圧であることに起因する過流量とはならないので、この過流量に起因するウォーターハンマとこれによる消火設備の破損を防ぐことができる。
【００３３】
なお、本実施の形態では、二次側配管１２の圧力上昇によって流水遮断弁３１が閉止されるように制御する。このため、予作動弁２２が開放して二次側配管１２に水が供給されても、流水遮断弁３１より下流部の真空配管１４に水が流入することを防止できる。つまり、真空ポンプ２４に水が流入することを防止できる。したがって、真空ポンプ２４が水を吸引して、過負荷で停止したり故障を起こしたりすることを防止できる。  以上の説明は、火災感知器３が火災を感知し、かつ、スプリンクラヘッド２の作動を検出することによって予作動弁２２を開放するように制御するスプリンクラ消火設備に関するものであるが、一般的な予作動式スプリンクラ消火設備のように、火災感知器３が火災を感知したときに予作動弁２２を開放するように制御するスプリンクラ消火設備においても、スプリンクラヘッド２の作動を待たずに二次側配管１２を充水するだけであり、本発明が二次側配管１２内の負圧に起因するウォーターハンマを防止する効果を奏することに変わりはない。
【符号の説明】
【００３４】
１  防護区画、  ２  スプリンクラヘッド、  ３  火災感知器、
４  火災受信機、  ５  消火システム制御盤、  ６  消火ポンプ制御盤、
１０  消火水槽、  １１  一次側配管、  １２  二次側配管、
１３  立ち下がり配管、  １４  真空配管、  １６  排水配管、
２１  加圧送水装置、  ２２  予作動弁、  ２２ａ  流水信号用スイッチ、
２２ｂ  遠隔起動弁、  ２４  真空ポンプ、  ２５  末端試験弁、
３１  流水遮断弁、  ３６  開閉弁、  ４１  真空スイッチ、
４２  オリフィス、  ４６  ヘッド作動検出装置、  ４７  開放弁、
５１  中継器、  ５２  真空ポンプ制御盤、  ５３  真空スイッチ
【図１】
2013022103.tif 000003